【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
画像形成装置に対して要求を行うことで取得した履歴情報を管理する管理装置であって、
画像形成装置から、省電力状態に移行したことを示す移行通知と、省電力状態から復帰したことを示す復帰通知とを受信する受信手段と、
画像形成装置に対して履歴情報の要求を行う要求手段と、
前記要求に応じて取得された履歴情報を管理する履歴情報管理手段と、
前記受信した移行通知に従う画像形成装置が省電力状態に移行した時間情報と、前記受信した復帰通知に従う画像形成装置が省電力状態から復帰した時間情報と、画像形成装置に対して履歴情報の要求を行った際の時間情報とを管理する管理手段と、
前記管理手段により管理されている省電力状態に移行した時間情報と省電力状態から復帰した時間情報とを参照して、画像形成装置が省電力状態であるかを特定する特定手段と、
前記特定手段により履歴情報の取得の対象となる画像形成装置が省電力状態であると特定された際に、前記要求手段による要求を行わせるかを制御する制御手段とを有し、
前記制御手段は、前記管理手段により管理されている前記対象となる画像形成装置の前回の前記要求を行った際の時間情報と、省電力状態から復帰した時間情報とを比較して、当該画像形成装置が前回の前記要求を行った後に前記復帰通知を行っていた場合には、当該画像形成装置が省電力状態であっても前記要求手段による要求を行わせ、
当該画像形成装置が前回の前記要求を行った後に前記復帰通知を行っていない場合には、前記要求手段による要求が行われないことを特徴とする管理装置。
【請求項２】
前記受信手段は、さらに、画像形成装置から、電源がＯＮされたことを示す電源ＯＮ通知を受信し、
前記管理手段は、さらに、前記受信した電源ＯＮ通知に従う画像形成装置の電源がＯＮにされた時間情報を管理し、
前記制御手段は、前記画像形成装置が前回の前記要求を行った後に前記復帰通知を行っていない場合に、前記管理手段により管理されている前記対象となる画像形成装置の前回の前記要求を行った際の時間情報と、電源がＯＮにされた時間情報とを比較して、前記画像形成装置が前回の前記要求を行った後に前記電源ＯＮ通知を行っていた際には当該画像形成装置が省電力状態であっても前記要求手段による要求を行わせ、
前記画像形成装置が前回の前記要求を行った後に前記電源ＯＮ通知を行っていない際には前記要求手段による要求が行われないことを特徴とする請求項１に記載の管理装置。
【請求項３】
画像形成装置のスリープへ移行するまでのスリープ移行時間を記憶する記憶手段とをさらに有し、
前記管理手段は、画像形成装置に対して履歴情報の要求を行った際の時間情報に加え、当該要求を行う際の画像形成装置の状態が省電力状態であったかを管理し、
前記特定手段により履歴情報の取得の対象となる画像形成装置が省電力状態であると特定された際に、前記管理手段により前回の前記要求を行った際の対象となる画像形成装置が省電力状態であったことが管理されていた場合には、
前記制御手段は、前記管理手段により管理されている前記対象となる画像形成装置の前回の前記要求を行った際の時間情報と、前記スリープ移行時間と、省電力状態から復帰した時間情報とを比較して、当該画像形成装置が、前回の前記要求が行われ、そして前記スリープ移行時間がさらに経過した後に、前記復帰通知を行っていた場合には、当該画像形成装置が省電力状態であっても前記要求手段による要求を行わせ、
当該画像形成装置が、前回の前記要求が行われ、そして前記スリープ移行時間がさらに経過した後に、前記復帰通知を行っていない場合には、前記要求手段による要求が行われないことを特徴とする請求項１または２に記載の管理装置。
【請求項４】
前記スリープ移行時間は、前記画像形成装置に対する外部からのリクエストが無くなってから、自動的にスリープ状態に移行するまでの時間であることを特徴とする請求項３に記載の管理装置。
【請求項５】
前記履歴情報は、前記画像形成装置で実行されたジョブの履歴を示す情報であることを特徴とする請求項１乃至４のいずれか１項に記載の管理装置。
【請求項６】
画像形成装置に対して要求を行うことで取得した履歴情報を管理する管理装置における管理方法であって、
画像形成装置から、省電力状態に移行したことを示す移行通知と、省電力状態から復帰したことを示す復帰通知とを受信する受信工程と、
前記要求に応じて取得された履歴情報を管理する履歴情報管理工程と、
前記受信した移行通知に従う画像形成装置が省電力状態に移行した時間情報と、前記受信した復帰通知に従う画像形成装置が省電力状態から復帰した時間情報と、画像形成装置に対して履歴情報の要求を行った際の時間情報とを管理する管理工程と、
前記管理工程で管理された省電力状態に移行した時間情報と省電力状態から復帰した時間情報とを参照して、画像形成装置が省電力状態であるかを特定する特定工程と、
前記特定工程で履歴情報の取得の対象となる画像形成装置が省電力状態であると特定された際に、画像形成装置に対して履歴情報の要求を行うかを制御する制御工程とを有し、前記制御工程では、前記管理工程で管理された前記対象となる画像形成装置の前回の前記要求を行った際の時間情報と、省電力状態から復帰した時間情報とを比較して、当該画像形成装置が前回の前記要求を行った後に前記復帰通知を行っていた場合には、当該画像形成装置が省電力状態であっても前記要求が行われ、
当該画像形成装置が前回の前記要求を行った後に前記復帰通知を行っていない場合には、前記要求が行われないことを特徴とする管理方法。
【請求項７】
前記受信工程では、さらに、画像形成装置から、電源がＯＮされたことを示す電源ＯＮ通知を受信し、
前記管理工程では、さらに、前記受信した電源ＯＮ通知に従う画像形成装置の電源がＯＮにされた時間情報を管理し、
前記制御工程では、前記画像形成装置が前回の前記要求を行った後に前記復帰通知を行っていない場合に、前記管理工程で管理された前記対象となる画像形成装置の前回の前記要求を行った際の時間情報と、電源がＯＮにされた時間情報とを比較して、前記画像形成装置が前回の前記要求を行った後に前記電源ＯＮ通知を行っていた際には当該画像形成装置が省電力状態であっても前記要求が行われ、
前記画像形成装置が前回の前記要求を行った後に前記電源ＯＮ通知を行っていない際には前記要求が行われないことを特徴とする請求項６に記載の管理装置。
【請求項８】
請求項１乃至５のいずれか１項の手段としてコンピュータを機能させるためのプログラム。
【請求項９】
画像形成装置と当該画像形成装置の履歴情報を管理する管理装置と含む管理システムであって、
前記画像形成装置は、前記管理装置からの要求に応じて履歴情報を前記管理装置に送信する送信手段を備え、
前記管理装置は、
画像形成装置に対して履歴情報の要求を行う要求手段と、
前記要求に応じて取得された履歴情報を管理する履歴情報管理手段と、
画像形成装置が省電力状態から復帰した時間情報と、画像形成装置に対して履歴情報の要求を行った際の時間情報とを管理する管理手段と、
履歴情報の取得の対象となる画像形成装置が省電力状態であると特定された際に、前記要求手段による要求を行わせるかを制御する制御手段と、を有し、
前記制御手段は、前記管理手段により管理されている前記対象となる画像形成装置の前回の前記要求を行った際の時間情報と、省電力状態から復帰した時間情報とを比較して、当該画像形成装置が前回の前記要求を行った後に省電力状態から復帰していた場合には、当該画像形成装置が省電力状態であっても前記要求手段による要求を行わせ、
当該画像形成装置が前回の前記要求を行った後に省電力状態から復帰していない場合には、前記要求が行われないことを特徴とする管理システム。